(57)【特許請求の範囲】
【請求項１】
操作画面に表示された複数の設定項目キーのそれぞれの文字表示領域の文字列を、所定の言語で翻訳された文字列に変更して表示する操作装置において、
前記操作画面を表示する際に、当該操作画面で表示される文字列を全て初期言語で翻訳された文字列として表示し、複数の設定項目キーを押下可能に表示する表示受付手段と、
ユーザから、前記複数の設定項目キーのうち、特定の設定項目キーの文字列を当該文字列の言語と異なる他の言語で翻訳された文字列に変更させる旨の指示を検知する指示検知手段と、
前記指示が検知されると、当該指示における特定の設定項目キーの文字列の近傍に、前記他の言語で翻訳された文字列を他言語切替キーとして押下可能に表示する他言語受付手段と、
前記他言語切替キーが押下されると、当該他言語切替キーに対応する特定の設定項目キーの文字列及び当該特定の設定項目キーに関連する文字列を、前記他の言語で翻訳された文字列にそれぞれ変更して表示する文字列変更手段と
を備え、
前記指示検知手段は、ユーザが特定の設定項目キーを短押しした場合は、前記表示受付手段に、前記操作画面から、当該特定の設定項目キーに関係する設定値入力画面へ切り替えさせ、ユーザが特定の設定項目キーを長押しした場合は、当該特定の設定項目キーにおける前記指示を検知することを特徴とする操作装置。
【請求項２】
請求項１記載の操作装置を備えた画像形成装置。
【請求項３】
操作画面に表示された複数の設定項目キーのそれぞれの文字表示領域の文字列を、所定の言語で翻訳された文字列に変更して表示する操作装置の操作方法において、
前記操作画面を表示する際に、当該操作画面で表示される文字列を全て初期言語で翻訳された文字列として表示し、複数の設定項目キーを押下可能に表示する表示受付ステップと、
ユーザから、前記複数の設定項目キーのうち、特定の設定項目キーの文字列を当該文字列の言語と異なる他の言語で翻訳された文字列に変更させる旨の指示を検知する指示検知ステップと、
前記指示が検知されると、当該指示における特定の設定項目キーの文字列の近傍に、前記他の言語で翻訳された文字列を他言語切替キーとして押下可能に表示する他言語受付ステップと、
前記他言語切替キーが押下されると、当該他言語切替キーに対応する特定の設定項目キーの文字列及び当該特定の設定項目キーに関連する文字列を、前記他の言語で翻訳された文字列にそれぞれ変更して表示する文字列変更ステップと
を備え、
前記指示検知ステップは、ユーザが特定の設定項目キーを短押しした場合は、前記表示受付ステップで、前記操作画面から、当該特定の設定項目キーに関係する設定値入力画面へ切り替えさせ、ユーザが特定の設定項目キーを長押しした場合は、当該特定の設定項目キーにおける前記指示を検知することを特徴とする操作方法。
【請求項４】
請求項３に記載の操作方法をコンピュータに実行させるためのプログラム。
【請求項５】
請求項４に記載のプログラムを記憶したコンピュータに読み取り可能な記憶媒体。
【発明の詳細な説明】
【技術分野】
【０００１】
本発明は、操作装置及び操作方法に関し、詳しくは、初期言語で表示された文字列では理解することが出来なかった設定項目キーの設定条件を容易に入力することが可能な操作装置及び操作方法に関する。
【背景技術】
【０００２】
電子写真方式の画像形成装置では、近年、両面モードや画像編集モードなどの多くの画像形成モードが用意され、更に、これらの画像形成モードを組み合わせて使用するなどの多機能化が進んでいる。一方、このような多機能化が進む反面、画像形成モードの設定方法が複雑になりつつあるため、ＬＣＤ（Liquid Crystal Display）などの表示装置を用いた操作パネルを採用し、単にモード設定用のキーなどを表示するだけでなく、設定方法の説明文を同時に表示するオペレータ誘導型の操作パネルが主流となっている。
【０００３】
このような設定方法の説明文は、一般には装置が使用されている国の言語で表示されていることが望ましいが、外資系企業や複数の民族が混在する地域向けには、予め複数の言語データを搭載してオペレータが選択的に或いは装置が表示すべき言語を判別し、説明文を適切な言語のものに切り替える技術が知られている。
【０００４】
しかしながら、上述したような使用されている用紙の違い、電源電圧の違い、衛星からの電波等によって表示すべき言語を選択する技術の場合には、例えばオペレータの大部分が外国人であっても、その装置が日本国内に設置されている場合には日本語で固定的に表示されてしまうという問題がある。
【０００５】
また、キーの操作などによりオペレータが表示言語を切り替える場合であれば、表示する言語は固定的では無くなるものの、最後に装置を利用したオペレータに都合の良い言語が表示されたままになってしまうという問題がある。例えば、殆どのオペレータが日本語を用い、一部のオペレータが英語を用いる環境において、最後に操作したオペレータが英語表示とした場合に、装置の使われ方とは無関係に英語表示が残ることになり、次に装置を使用するオペレータが言語の切替操作を行わなければならない可能性が高くなる。更に、複数のジョブ（画像形成動作）を予約可能な装置の場合にも、ジョブを実行しているオペレータとジョブを予約するオペレータとが同一の言語を使用するとは限らないことから、同様の問題が生じる。
【０００６】
このような問題を解決するために、例えば、特開２００１−７５４３０号公報（特許文献１）では、表示装置に所定の画面を表示するための表示データを複数の異なる言語で記憶する記憶手段と、前記表示装置に表示する前記表示データの言語を切替可能とする言語切替手段と、前記表示装置にデフォルトで表示する前記表示データのデフォルト言語を選択可能とするデフォルト設定手段とを備える画像形成装置が開示されている。前記画像形成装置では、画像形成手段による一の画像形成動作を実行中に他の画像形成動作を予約可能とする画像形成動作予約手段と、前記一の画像形成動作を実行中に前記他の画像形成動作を予約設定するための表示画面を前記表示装置に表示する際、前記表示データを前記デフォルト言語に切り替えて表示する表示言語切替手段とを備える。これにより、例えば、使用頻度の高い言語をデフォルト言語として設定することで、言語切替手段を用いる確率を低減することができ、操作性の向上を図ることが出来るとしている。
【０００７】
又、特開２０１１−６１５９０号公報（特許文献２）には、言語名が表示された複数の言語キーによって操作パネルの表示画面（操作画面）に表示されている表示言語を切り換える画像形成装置が開示されている。前記画像形成装置では、ユーザにより押下されている時に有効となる、前記複数の言語キーと、ユーザにより所定の言語キーが押下されていることを検知する押下検知手段と、前記押下検知手段が所定の言語キーの押下を検知している間は、予め設定されている表示言語を、押下されている言語キーの言語に切り換える表示言語切換手段とを備える。これにより、ユーザによる一操作（ワンステップ操作）で容易に表示言語を切り換えることが可能となり、更に、言語キーの押下を解除すれば、切り換えられた言語が元の表示言語に戻るため、表示言語の設定操作等の煩わしい操作をユーザが実行する必要が無くなるなどの効果を得るとしている。
【先行技術文献】
【特許文献】
【０００８】
【特許文献１】特開２００１−７５４３０号公報
【特許文献２】特開２０１１−６１５９０号公報
【発明の概要】
【発明が解決しようとする課題】
【０００９】
しかしながら、前記特許文献１に記載の技術では、前記言語切替が実行されると、前記表示画面に表示された全部の表示データ（メッセージ、文字列など）が所定の言語で翻訳された表示データに切り替わることになる。ここで、通常、ユーザが、表示データの切り替えを必要とする際に、一部の表示データのみ翻訳されれば十分である場合が多く、全部の表示データの切り替えは無駄になるという問題がある。
【００１０】
又、前記特許文献２に記載の技術では、前記言語キーの押下中において表示画面の全部の表示言語（前記表示データ）が、当該言語キーに対応する言語で翻訳されるものの、ユーザが、当該言語キーの押下を解除すると、元の表示言語に戻ることになる。そのため、ユーザが、一度、前記言語キーを押下して、所定の表示言語の内容を確認し、次の表示画面に切り替えると、元の言語で翻訳された表示言語が表示され、再度、前記言語キーを押下する必要が生じる。つまり、前記特許文献２に記載の技術では、ユーザが、所定の設定項目キーの設定条件を入力する場合、前記表示画面の切り替え毎に、前記言語キーを押下する必要があり、操作数が増大するという問題がある。
【００１１】
そこで、本発明は、前記問題を解決するためになされたものであり、初期言語で表示された文字列では理解することが出来なかった設定項目キーの設定条件を容易に入力することが可能な操作装置及び操作方法を提供することを目的とする。
【課題を解決するための手段】
【００１２】
上述した課題を解決し、目的を達成するために、本発明に係る操作装置は、操作画面に表示された複数の設定項目キーのそれぞれの文字表示領域の文字列を、所定の言語で翻訳された文字列に変更して表示する操作装置を前提とし、以下の構成を採用する。
【００１３】
前記操作装置は、前記操作画面を表示する際に、当該操作画面で表示される文字列を全て初期言語で翻訳された文字列として表示し、複数の設定項目キーを押下可能に表示する表示受付手段と、ユーザから、前記複数の設定項目キーのうち、特定の設定項目キーの文字列を当該文字列の言語と異なる他の言語で翻訳された文字列に変更させる旨の指示を検知する指示検知手段と、前記指示が検知されると、当該指示における特定の設定項目キーの文字列の近傍に、前記他の言語で翻訳された文字列を他言語切替キーとして押下可能に表示する他言語受付手段と、前記他言語切替キーが押下されると、当該他言語切替キーに対応する特定の設定項目キーの文字列及び当該特定の設定項目キーに関連する文字列を、前記他の言語で翻訳された文字列にそれぞれ変更して表示する文字列変更手段を備える。又、前記指示検知手段は、ユーザが特定の設定項目キーを短押しした場合は、前記表示受付手段に、前記操作画面から、当該特定の設定項目キーに関係する設定値入力画面へ切り替えさせ、ユーザが特定の設定項目キーを長押しした場合は、当該特定の設定項目キーにおける前記指示を検知する。
【００１４】
これにより、所定の設定項目キーの文字列の内容を理解することが出来ない場合であっても、所定の操作により、他の言語で翻訳された文字列が表示されるため、ユーザが理解出来る言語で翻訳された文字列が表示されれば、一見してその内容を理解することが可能となる。又、他言語切替キーが押下されると、先ほど内容を理解出来なかった設定項目キーの文字列のみならず、これに関連する文字列も変更表示され、ユーザは、変更表示された設定項目キーの文字列の内容や現時点で設定されている設定値などの周辺の設定条件を的確に理解することが可能となる。更に、前記設定項目キーに関連する文字列は、ユーザの指示した他の言語で翻訳された文字列となるため、ユーザは、言語の切り替えを省略して、当該設定項目キーの設定値の入力を簡単に入力することが可能となり、当該設定値の入力を円滑にし、且つ、言語切替のための操作数を減少させることが可能となる。
【００１６】
又、前記他言語受付手段は、前記他言語切替キーをプルダウンリスト形式で押下可能に表示するよう構成することが出来る。
【００１７】
又、前記文字列変更手段は、前記他言語切替キーに対応する設定項目キーの設定値が入力可能な設定値入力画面が表示される際に、当該設定値入力画面に表示される、前記設定項目キーに関連する文字列を、前記他の言語で翻訳された文字列に変更して表示するよう構成することが出来る。
【００１８】
又、前記文字列変更手段は、前記他言語切替キーに対応する設定項目キーの設定値入力画面を介して所定の設定値の入力が完了した場合又はスタートキーが押下された場合に、前記他の言語で翻訳された文字列の表示を、元の言語で翻訳された文字列の表示に戻すよう構成することが出来る。
【００１９】
又、前記操作装置は、画像形成装置に適用することが出来る。
【００２０】
尚、本発明は、操作画面に表示された複数の設定項目キーのそれぞれの文字表示領域の文字列を、所定の言語で翻訳された文字列に変更して表示する操作装置の操作方法として提供することが出来る。即ち、前記操作方法は、前記操作画面を表示する際に、当該操作画面で表示される文字列を全て初期言語で翻訳された文字列として表示し、複数の設定項目キーを押下可能に表示する表示受付ステップと、ユーザから、前記複数の設定項目キーのうち、特定の設定項目キーの文字列を当該文字列の言語と異なる他の言語で翻訳された文字列に変更させる旨の指示を検知する指示検知ステップと、前記指示が検知されると、当該指示における特定の設定項目キーの文字列の近傍に、前記他の言語で翻訳された文字列を他言語切替キーとして押下可能に表示する他言語受付ステップと、前記他言語切替キーが押下されると、当該他言語切替キーに対応する特定の設定項目キーの文字列及び当該特定の設定項目キーに関連する文字列を、前記他の言語で翻訳された文字列にそれぞれ変更して表示する文字列変更ステップを備える。又、前記指示検知ステップは、ユーザが特定の設定項目キーを短押しした場合は、前記表示受付ステップで、前記操作画面から、当該特定の設定項目キーに関係する設定値入力画面へ切り替えさせ、ユーザが特定の設定項目キーを長押しした場合は、当該特定の設定項目キーにおける前記指示を検知する。当該構成としても、上述と同様の効果を得ることが可能となる。
【００２１】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。
【００２２】
又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２３】
本発明の操作装置及び操作方法によれば、初期言語で表示された文字列では理解することが出来なかった設定項目キーの設定条件を容易に入力することが可能となる。
【図面の簡単な説明】
【００２４】
【図１】本発明に係る複合機の内部の全体構成を示す概念図である。
【図２】本発明に係る操作部の全体構成を示す概念図である。
【図３】本発明に係る複合機及び操作部の制御系ハードウェアの構成を示す図である。
【図４】本発明の実施形態における複合機及び操作部の機能ブロック図である。
【図５】本発明の実施形態の実行手順を示すための第一のフローチャートである。
【図６】本発明の実施形態の実行手順を示すための第二のフローチャートである。
【図７】本発明の実施形態の言語切替テーブルの一例を示す図（図６（Ａ））と、本発明の実施形態のタッチパネル上に表示された初期画面の一例を示す第一の図（図７（Ｂ））である。
【図８】本発明の実施形態のタッチパネル上に表示された設定値入力画面の一例を示す第一の図（図８（Ａ））と、本発明の実施形態のタッチパネル上に表示された初期画面の一例を示す第二の図（図８（Ｂ））である。
【図９】本発明の実施形態のタッチパネル上に表示された初期画面の一例を示す第三の図（図９（Ａ））と、本発明の実施形態のタッチパネル上に表示された設定値入力画面の一例を示す第二の図（図８（Ｂ））である。
【発明を実施するための形態】
【００２５】
以下に、添付図面を参照して、本発明の操作装置を備えた画像形成装置の実施形態について説明し、本発明の理解に供する。尚、以下の実施形態は、本発明を具体化した一例であって、本発明の技術的範囲を限定する性格のものではない。又、フローチャートにおける数字の前に付されたアルファベット「Ｓ」はステップを意味する。
【００２６】
＜画像形成装置及び操作装置＞
以下に、本発明の実施形態に係る操作装置を備えた画像形成装置について説明する。
【００２７】
図１は、本発明の実施形態に係る画像形成装置の概略模式図である。但し、本発明に直接には関係しない各部の詳細は省略している。尚、本発明の画像形成装置は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２８】
まず、ユーザが複合機１００を利用する場合、原稿Ｐを複合機１００の上面に備えられている原稿台１０１に載置し、コピー機能の設定を操作部１０２から入力する。当該操作部１０２には、複合機１００が提供するコピー機能に関連する操作画面（初期画面など）が表示され、コピー機能に関連する複数の設定項目キーが選択可能に表示されている。又、前記操作画面には、各機能毎に機能項目キーがタブ形式で選択可能に表示される。ユーザは、前記操作画面を介して、コピー機能に関する設定条件の入力を行う。
【００２９】
ユーザが、設定条件の入力を完了すると、操作部１０２に設けられたスタートキー（後述）を押下して、複合機１００にコピー機能の処理を開始させる。
【００３０】
複合機１００がコピー機能の処理を開始すると、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、基本的な補正処理、画質処理、圧縮処理等を施され、前記原稿に対応する画像データが生成される。
【００３１】
さて、前記画像データをトナー像として転写する駆動部が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００３２】
前記帯電器１１１は、前記感光体ドラム１１０の表面を一様に帯電させる。前記露光ユニット１１２は、帯電された前記感光体ドラム１１０の表面に、前記画像データに基づいてレーザーを照射し、静電潜像を形成する。前記現像器１１３は、搬送された静電潜像に、トナーを付着させてトナー像を形成する。形成されたトナー像は、前記転写器１１４により、記録媒体（例えば、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３３】
前記シートは、前記複合機１００に備えられた複数の給紙カセット１１６から搬送される。搬送される時は、前記シートはピックアップローラ１１７により何れか１つの前記給紙カセット１１６から搬送路へ引き出される。前記各給紙カセット１１６には、それぞれ異なる紙種のシートが収容されており、前記出力条件に関する設定に基づいてシートが給紙される。
【００３４】
搬送路に引き出された前記シートは、搬送ローラ１１８やレジストローラ１１９により感光体ドラム１１０と転写器１１４の間に送り込まれる。送り込まれると、前記シートは前記転写器１１４により前記トナー像が転写され、定着装置１２０に搬送される。尚、搬送ローラ１１８に搬送されるシートは、複合機１００に備えられた手差しトレイ１２１から搬送される場合もある。
【００３５】
前記トナー像が転写されたシートが前記定着装置１２０に備えられた加熱ローラ１２２と加圧ローラ１２３の間を通過すると、前記トナー像に熱と圧力が印加されて、可視像がシートに定着される。前記加熱ローラ１２２の熱量は紙種に応じて最適に設定され、前記定着が適切に行われる。前記可視像がシートに定着されて画像形成が終了し、可視像が定着されたシートは、定着装置１２０を経て折り装置１２４へ搬送される。
【００３６】
上記搬送されたシートは、ユーザが入力した設定条件の設定に従って、折り装置１２４で折り処理が施される。折り処理が入力されていない場合は、上記シートは折り装置１２４を通過するのみである。また、ユーザが後処理（例えば、ステープル、パンチ、製本等）を設定条件に入力した場合、通過したシートは製本装置１２５に搬送されて後処理を施され、排紙トレイ１２６に積載、収容される。
【００３７】
前記手順により、複合機１００はコピー機能をユーザに提供する。
【００３８】
図２は、本発明の実施形態に係る操作部の全体構成を示す概念図である。ユーザは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００３９】
前記タッチパネル２０１には、設定条件を入力する機能と当該設定条件を表示する機能が兼ね備えられている。即ち、前記タッチパネル２０１上に表示された画面内のキー（例えば、機能に対応する設定項目キー、当該設定項目の設定値に対応する選択項目キーなど）を押下することによって、押下された項目キーに対応する設定条件が入力される。
【００４０】
前記タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。タッチパネル２０１の近傍には、タッチペン２０２が備えられており、ユーザがそのタッチペン２０２の先をタッチパネル２０１に接触させると、タッチパネル２０１下に設けられたセンサーが接触先を検知する。
【００４１】
更に、タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４２】
次に、図３を用いて、複合機１００及び操作部１０２の制御系ハードウェアの構成を説明する。図３は、本発明に係る複合機１００及び操作部１０２の制御系ハードウェアの構成を示す図である。ただし、本発明に直接には関係しない各部の詳細は省略している。
【００４３】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５と図示しない操作部１０２からのデータや指示を授受し、前記図１に示した各駆動部の動作を制御する。また、前記駆動部以外の後述する各手段（図４に示す）についても、前記ＣＰＵ３０１がプログラムを実行することで当該各手段を実現する。
【００４４】
又、制御回路の内部バス３０６には、内部インターフェイス３０７も接続されており、当該内部インターフェイス３０７は、操作部１０２の制御回路等と複合機１００の制御回路とを接続する。
【００４５】
又、操作部１０２の制御回路には、内部バス３１５に、ＣＰＵ３０９、ＲＯＭ３１０、ＲＡＭ３１１、ＬＣＤ３１２、操作キー３１３（２０３）、タッチパネル３１４（２０１）、内部インターフェイス３０８を備える。操作キー３１３やタッチパネル３１４をユーザが操作すると、ＣＰＵ３０９は、内部インターフェイス３０８を介して、当該操作に基づく命令信号を複合機１００の制御回路に送信する。又、ＣＰＵ３０９、ＲＯＭ３１０、ＲＡＭ３１１の機能も上記と同様であり、後述する各手段（図４に示す）についても、前記ＣＰＵ３０９がプログラムを実行することで当該各手段を実現する。前記ＲＯＭ３１０には、以下に説明する各手段を実現するプログラムやデータが記憶されている。
【００４６】
＜本発明の実施形態＞
次に、図４−図６を参照しながら、本発明の実施形態に係る構成及び実行手順について説明する。図４は、本発明の複合機及び操作部の機能ブロック図である。又、図５及び図６は、本発明の実行手順を示すためのフローチャートである。
【００４７】
まず、ユーザが、複合機１００の電源を投入すると、複合機１００及び操作部１０２が起動し、操作部１０２の表示受付手段４０１が、所定の初期設定条件メモリに予め記憶されている初期設定条件を取得して、当該初期設定条件を設定条件として所定の設定条件メモリに一時的に記憶させる（図５：Ｓ１０１）。ここで、前記初期設定条件は、複合機１００が提供可能な機能（例えば、コピー機能）の設定条件を構成する各設定項目毎の初期値である。
【００４８】
次に、前記表示受付手段４０１は、所定の言語設定メモリに予め記憶されている初期言語の言語名（例えば、「Ｅｎｇｌｉｓｈ」）を取得し、言語切替記憶手段４０２の言語切替テーブル７００を参照する。
【００４９】
前記言語切替テーブル７００には、図７（Ａ）に示すように、所定の操作画面を特定するための画面情報７０１（例えば、初期画面を特定する「初期画面」など）と、当該画面情報７０１の操作画面でキーの文字表示領域（キー領域、ボタン領域など）に表示される文字列の言語名７０２（例えば、「Ｅｎｇｌｉｓｈ」、「日本語」など）と、当該言語名７０２の言語で翻訳された文字列７０３（例えば、「Ｄｕｐｌｅｘ」、「両面/分割」など）とが関連付けて記憶される。
【００５０】
ここで、前記言語切替テーブル７００の所定の画面情報７０１において、一の言語名７０２の言語で翻訳された文字列７０３と、当該一の言語名と異なる他の言語名７０２の言語で翻訳された文字列７０３とは、相互に同等の意味となるように構成されている。
【００５１】
例えば、画面情報７０１の「初期画面」における言語名７０２の「Ｅｎｇｌｉｓｈ」（英語）に対応する文字列７０３の「Ｄｕｐｌｅｘ」と、言語名７０２の「日本語」に対応する文字列７０３の「両面/分割」とは、相互に同等の意味となる。
【００５２】
又、前記画面情報７０１には、「初期画面」に対応する画面情報の他に、所定の文字列７０２の設定項目キーが押下された場合に当該設定項目キーの設定値が入力可能な設定値入力画面を特定する画面情報７０１（例えば、「Ｄｕｐｌｅｘ」の設定項目キーの設定値入力画面に対応する「Ｄｕｐｌｅｘ画面」）が記憶されている。
【００５３】
前記画面情報７０１の「Ｄｕｐｌｅｘ画面」に対応する文字列７０３には、当該「Ｄｕｐｌｅｘ画面」の設定項目キーに関連するキーの文字表示領域に表示される文字列７０３（例えば、「１−ｓｉｄｅｄ＞＞１−ｓｉｄｅｄ」など）が記憶される。尚、前記設定項目キーに関連するキーとは、例えば、所定の設定値を反映させる選択項目キーなどが挙げられる。
【００５４】
さて、前記言語切替テーブル７００を参照した表示受付手段４０１は、初期画面を表示するために、当該言語切替テーブル７００から、画面情報７０１の「初期画面」に対応し、且つ、先ほど取得した初期言語の言語名「Ｅｎｇｌｉｓｈ」に対応する文字列７０３（「Ｐａｐｅｒ  Ｓｅｌｅｃｔｉｏｎ」、「Ｄｕｐｌｅｘ」など）を取得する。そして、前記表示受付手段４０１は、取得した文字列７０３と、前記設定条件とに対応する初期画面をタッチパネル２０１上に表示する（図５：Ｓ１０２）。
【００５５】
前記初期画面７０４には、図７（Ｂ）に示すように、初期言語「Ｅｎｇｌｉｓｈ」（英語）で翻訳された複数の文字列７０５（「Ｐａｐｅｒ  Ｓｅｌｅｃｔｉｏｎ」、「Ｄｕｐｌｅｘ」など）が、対応する文字表示領域にそれぞれ表示されて、複数の設定項目キー７０６を構成している。前記複数の設定項目キー７０６は、押下可能に表示される。
【００５６】
さて、ユーザは、前記初期画面７０４を見ながら、スタートキー２０５を押下することなく（図５：Ｓ１０３ＮＯ）、所定の設定項目キー７０６（例えば、「Ｄｕｐｌｅｘ」キー）を押下すると（図５：Ｓ１０４ＹＥＳ）、指示検知手段４０３が、当該「Ｄｕｐｌｅｘ」キーの押下を受け付けて、当該「Ｄｕｐｌｅｘ」キーの文字列「Ｄｕｐｌｅｘ」を、当該文字列の言語と異なる他の言語で翻訳された文字列に変更させる旨の指示（具体的には、指示信号、変更信号）の検知を開始する。
【００５７】
具体的には、先ず、前記指示検知手段４０３は、前記「Ｄｕｐｌｅｘ」キーの押下を受け付けると（図５：Ｓ１０４ＹＥＳ）、予め設けられた所定のタイマーを用いて、当該「Ｄｕｐｌｅｘ」キーの押下の開始時点からの経過時間を計測する（図５：Ｓ１０５）。
【００５８】
次に、前記指示検知手段４０３は、前記計測する経過時間を、予め設定された所定時間（例えば、２秒）と比較し、当該経過時間が所定時間を超過するまで（図５：Ｓ１０７）、ユーザにより、前記「Ｄｕｐｌｅｘ」キーの押下が継続されたか（長押しされたか）否かを検知する（図５：Ｓ１０６）。
【００５９】
ここで、前記所定時間内に（図５：Ｓ１０７ＮＯ）、前記「Ｄｕｐｌｅｘ」キーの押下が解除された場合、つまり、前記「Ｄｕｐｌｅｘ」キーの押下が継続されなかった場合（図５：Ｓ１０６ＹＥＳ）、前記指示検知手段４０３は、当該「Ｄｕｐｌｅｘ」キーが単に押下されただけであると検知し、その旨を表示受付手段４０１に通知する。当該通知を受けた表示受付手段４０１は、前記「Ｄｕｐｌｅｘ」キーの押下を受け付けて、その旨を文字列変更手段４０４に通知する。当該通知を受けた文字列変更手段４０４は、予め備えられた所定の文字列変更メモリを参照し、当該「Ｄｕｐｌｅｘ」キーの文字列「Ｄｕｐｌｅｘ」が、当該文字列変更メモリに記憶された文字列と一致するか否か判定する（図５：Ｓ１０８）。
【００６０】
ここで、前記文字列変更メモリには未だ何も記憶されていないため、前記判定の結果、前記文字列変更手段４０４は、両者が不一致であると判定し（図５：Ｓ１０８ＮＯ）、その旨を表示受付手段４０１に通知する。当該通知を受けた表示受付手段４０１は、前記言語切替テーブル７００を参照して、当該言語切替テーブル７００から、前記「Ｄｕｐｌｅｘ」キーの設定値入力画面を特定する画面情報７０１「Ｄｕｐｌｅｘ画面」に対応し、且つ、前記初期言語の言語名７０２「Ｅｎｇｌｉｓｈ」に対応する文字列７０３（例えば、「１−ｓｉｄｅｄ＞＞１−ｓｉｄｅｄ」、「１−ｓｉｄｅｄ＞＞２−ｓｉｄｅｄ」など）を取得する。そして、前記表示受付手段４０１は、取得した文字列７０３と、前記設定条件とに対応する設定値入力画面をタッチパネル２０１上に表示する（図５：Ｓ１０９）。
【００６１】
前記設定値入力画面８００には、図８（Ａ）に示すように、初期言語（英語）で翻訳された文字列が表示され、且つ、前記「Ｄｕｐｌｅｘ」キーの設定値に対応する複数の選択項目キー８０１（例えば、「１−ｓｉｄｅｄ＞＞１−ｓｉｄｅｄ」キーなど）と、キャンセルキー８０２と、ＯＫキー８０３とが押下可能に表示される。
【００６２】
尚、前記判定の結果、両者が一致する場合は（図５：Ｓ１０８ＹＥＳ）、後述する。
【００６３】
さて、ユーザは、前記設定値入力画面８００を見ながら、所定の選択項目キー８０１（例えば、「１−ｓｉｄｅｄ＞＞２−ｓｉｄｅｄ」キー）を押下して、前記ＯＫキー８０３を押下すると（図５：Ｓ１１０ＹＥＳ）、前記表示受付手段４０１は、当該「１−ｓｉｄｅｄ＞＞２−ｓｉｄｅｄ」キーの押下を受け付けて、前記設定条件メモリの設定条件のうち、前記「Ｄｕｐｌｅｘ」の設定値（初期値の「１−ｓｉｄｅｄ＞＞１−ｓｉｄｅｄ」に対応する設定値）（例えば、「０」）を、当該「１−ｓｉｄｅｄ＞＞２−ｓｉｄｅｄ」に対応する設定値（例えば、「１」）に変更する（図５：Ｓ１１１）。これにより、所定の設定項目における設定値の入力が完了する。
【００６４】
そして、前記表示受付手段４０１は、Ｓ１０２に戻って、変更後の設定条件が反映された初期画面をタッチパネル２０１に表示する（図５：Ｓ１０２）。
【００６５】
この場合は、通常の設定項目キー７０６の押下に対応し、ユーザが、当該設定項目キー７０６の文字列の内容や前記設定値入力画面８００の選択項目キー８０１の文字列の内容を問題なく理解することが出来る場合に対応する。
【００６６】
一方、Ｓ１０４において、ユーザが、前記初期画面７０４の設定項目キー７０６のうち、前記「Ｄｕｐｌｅｘ」キーの文字列「Ｄｕｐｌｅｘ」の内容を理解することが出来ないため、当該「Ｄｕｐｌｅｘ」キーを所定時間継続して押下した場合（長押しした場合）は、以下のようになる。
【００６７】
即ち、ユーザが前記「Ｄｕｐｌｅｘ」キーを押下すると（図５：Ｓ１０４ＹＥＳ）、前記指示検知手段４０３が、当該「Ｄｕｐｌｅｘ」キーの押下の開始時点からの経過時間を計測し（図５：Ｓ１０５）、ユーザが当該「Ｄｕｐｌｅｘ」キーの押下を継続した結果（図５：Ｓ１０６ＮＯ）、当該経過時間が所定時間を超過すると（図５：Ｓ１０７ＹＥＳ）、前記指示検知手段４０３は、前記ユーザの操作により、当該「Ｄｕｐｌｅｘ」キーの文字列「Ｄｕｐｌｅｘ」を他の言語で翻訳された文字列に変更する旨の指示が入力されたと検知し、その旨を他言語受付手段４０５に通知する。当該通知を受けた他言語受付手段４０５は、前記指示における「Ｄｕｐｌｅｘ」キーの文字列の近傍に、当該文字列の言語と異なる他の言語で翻訳された文字列を他言語切替キーとして押下可能に表示する（図６：Ｓ２０１）。
【００６８】
具体的には、前記他言語受付手段４０５は、前記言語切替テーブル７００を参照して、当該言語切替テーブル７００から、前記「Ｄｕｐｌｅｘ」キーの文字列「Ｄｕｐｌｅｘ」に対応し、且つ、当該文字列「Ｄｕｐｌｅｘ」の言語（「Ｅｎｇｌｉｓｈ」）と異なる他の言語（「日本語」）で翻訳された文字列（「両面/分割」）を取得する。次に、前記他言語受付手段４０５は、取得した文字列「両面/分割」を、他言語切替キーとして、前記初期画面の「Ｄｕｐｌｅｘ」キーの文字列の近傍に押下可能に表示する。
【００６９】
前記初期画面８０４には、図８（Ｂ）に示すように、前記「Ｄｕｐｌｅｘ」キー８０５の文字列８０６（「Ｄｕｐｌｅｘ」）の下方近傍に、前記他の言語（「日本語」）で翻訳された文字列８０７（「両面/分割」）が他言語切替キーとしてプルダウンリスト形式で押下可能に表示される。
【００７０】
これにより、ユーザは、最初に、前記設定項目キー８０５の文字列８０６が自分の母国語で表現されていないため、当該文字列８０６の内容を理解することが出来ない場合であっても、上述した操作により、他の言語で翻訳された文字列８０７が表示されるため、自分が理解出来る言語で翻訳された文字列８０７が表示されれば、一見してその内容を理解することが可能となる。又、表示される文字列８０７の意味は、前記設定項目キー８０５の文字列８０６の意味と同等であるため、ユーザは、一見して、当該設定項目キー８０５の内容を理解することが可能となる。
【００７１】
尚、図８（Ｂ）では、他の言語で翻訳された文字列８０７が１つのみ表示されているが、前記言語切替テーブル７００に、当該文字列８０７が複数記憶されている場合、例えば、日本語の他に、中国語で翻訳された文字列８０７（「双工/分流」）が記憶されている場合は、複数の文字列８０７（「両面/分割」、「双工/分流」）が全てプルダウンリスト形式で前記文字列８０６の下方近傍に押下可能に表示されることになる。
【００７２】
さて、Ｓ２０２において、ユーザは、前記初期画面８０４を見ながら、自己が理解出来る文字列８０７「両面/分割」（他言語切替キー）を押下すると（図６：Ｓ２０２ＹＥＳ）、前記他言語受付手段４０５は、当該他言語切替キーの押下を受け付けて、その旨を文字列変更手段４０４に通知する。当該通知を受けた文字列変更手段４０４は、当該他言語切替キー（文字列「両面/分割」のキー）に対応する設定項目キーの文字列及び当該設定項目キーに関連する文字列を、前記他の言語で翻訳された文字列にそれぞれ変更して表示する。
【００７３】
具体的には、前記文字列変更手段４０４が、前記文字列変更メモリに、前記文字列「両面/分割」と、当該文字列の言語である言語名「日本語」とを一時記憶させる（図６：Ｓ２０３）。
【００７４】
次に、前記文字列変更手段４０４は、現時点でタッチパネル２０１上に表示されている初期画面８０４から、前記文字列８０７「両面/分割」に対応する設定項目キーの文字列及び当該設定項目キーに関連する文字列を検索する。
【００７５】
例えば、前記文字列８０７が「両面/分割」であれば、図８（Ｂ）に示すように、対応する設定項目キー８０５の文字列８０６は「Ｄｕｐｌｅｘ」であり、当該設定項目キー８０５に関連する文字列８０８は、現時点での前記設定項目キーの設定値に対応する「１−ｓｉｄｅｄ＞＞１−ｓｉｄｅｄ」である。
【００７６】
そして、前記文字列変更手段４０４は、前記言語切替テーブル７００を参照して、当該言語切替テーブル７００から、検索した文字列（「Ｄｕｐｌｅｘ」、「１−ｓｉｄｅｄ＞＞１−ｓｉｄｅｄ」）に対応し、且つ、前記文字列変更メモリに記憶された言語名「日本語」（言語名７０２）に対応する文字列７０３（「両面/分割」、「片面→片面」）を取得する。更に、前記文字列変更手段４０４は、前記初期画面８０４のうち、検索した文字列を、取得した文字列に変更して表示する（図６：Ｓ２０４）。
【００７７】
特定の文字列が変更された初期画面９００には、図９（Ａ）に示すように、ユーザが押下しなかった他の設定項目キー９０１の文字列の表示はそのままで、ユーザが押下した設定項目キー９０２（文字列変更を希望した設定項目キー）の文字列９０３と、当該設定項目キーに関連する文字列９０４とが、ユーザの指示した他の言語で翻訳された文字列に変更表示される。
【００７８】
これにより、ユーザは、先ほど内容を理解出来なかった設定項目キー９０２の文字列の内容のみならず、これに関連する文字列の内容も理解することが可能となり、当該設定項目キー９０２の内容や現時点で設定されている設定値などの周辺の設定条件を的確に理解することが可能となる。
【００７９】
さて、Ｓ２０４からＳ１０３に移行して、ユーザが、前記初期画面９００を見ながら、スタートキー２０５を押下することなく（図５：Ｓ１０３ＮＯ）、前記「両面/分割」が表示された設定項目キー９０２を押下すると（図５：Ｓ１０４ＹＥＳ）、前記指示検知手段４０３は、当該設定項目キー９０２の押下を受け付け、上述と同様に、当該設定項目キー９０２の押下が継続されたか否か検知する（図５：Ｓ１０６）。
【００８０】
ここで、ユーザが、前記設定項目キー９０２を長押しすることなく、当該設定項目キー９０２の押下後、直ぐに当該設定項目キー９０２の押下を解除すると（図５：Ｓ１０６ＹＥＳ）、前記指示検知手段４０３は、当該設定項目キー９０２が単に押下されただけであると検知し、前記表示受付手段４０１は、当該設定項目キー９０２の押下（短押し）を受け付けて、その旨を文字列変更手段４０４に通知する。当該通知を受けた文字列変更手段４０４は、上述と同様に、当該設定項目キーの文字列「両面/分割」が、前記文字列変更メモリに記憶された文字列（「両面/分割」）と一致するか否か判定する（図５：Ｓ１０８）。
【００８１】
ここで、前記文字列変更メモリには既に前記文字列「両面/分割」が記憶されているため、前記判定の結果、前記文字列変更手段４０４は、両者が一致すると判定し（図５：Ｓ１０８ＹＥＳ）、前記言語切替テーブル７００を参照する。次に、前記文字列変更手段４０４は、前記言語切替テーブル７００から、前記設定項目キーに対応する画面情報７０１（「Ｄｕｐｌｅｘ画面」）に対応し、且つ、前記他の言語（「日本語」）である言語名７０２に対応する文字列７０３（例えば、「片面→片面」、「片面→両面」など）を取得する。そして、前記文字列変更手段４０４は、その旨を表示受付手段４０１に通知し、当該通知を受けた表示受付手段４０１は、取得された文字列７０３と、前記設定条件とに対応する設定値入力画面をタッチパネル２０１上に表示する（図６：Ｓ２０５）。
【００８２】
前記文字列が変更された設定値入力画面９０５には、図９（Ｂ）に示すように、前記他の言語（「日本語」）で翻訳され、且つ、前記設定項目キー（「両面/分割」キー）に関連する文字列９０６が表示された複数の選択項目キー９０７（例えば、「片面→片面」キー、「片面→両面」キーなど）と、キャンセルキー９０８と、ＯＫキー９０９とが押下可能に表示される。
【００８３】
これにより、ユーザが、言語表示を切り換えた設定項目キーを押下し、操作画面を切り換えたとしても、切り替え後の操作画面（設定値入力画面）に表示される、当該設定項目キーに関連する文字列は、ユーザの指示した他の言語で翻訳された文字列となる。そのため、ユーザは、言語の切り替えを省略して、当該設定項目キーの設定値の入力を簡単に入力することが可能となり、当該設定値の入力を円滑にし、且つ、言語切替のための操作数を減少させることが可能となる。
【００８４】
さて、ユーザが、前記設定値入力画面９０５を見ながら、所定の選択項目キー９０７（例えば、「片面→両面」キー）を押下して、ＯＫキー９０９を押下すると、前記表示受付手段が、当該「片面→両面」キーの押下を受け付けて（図６：Ｓ２０６ＹＥＳ）、前記設定条件メモリの設定条件のうち、前記「両面/分割」（「Ｄｕｐｌｅｘ」）の設定値（初期値の「片面→片面」に対応する「０」）を、当該「片面→両面」に対応する設定値「１」に変更する（図６：Ｓ２０７）。これにより、言語切替がなされた設定項目キーの設定値の入力が完了する。
【００８５】
又、前記設定値入力画面９０５を介して所定の設定値の入力が完了すると、前記文字列変更手段４０４は、前記文字列変更メモリに一時記憶された文字列「両面/分割」と言語名「日本語」とを消去する（図６：Ｓ２０８）。これにより、前記他の言語で翻訳された文字列の表示が、元の言語で翻訳された文字列の表示に戻り、必要以上に文字列の言語切替がなされることを防止することが可能となる。
【００８６】
そして、Ｓ１０２に戻って、前記表示受付手段４０１は、変更後の設定条件が反映された初期画面をタッチパネル２０１に表示することになる（図５：Ｓ１０２）。尚、前記文字列変更メモリには、既に何も記憶されていないため、ここで表示される初期画面の文字列は、全て前記初期言語（「Ｅｎｇｌｉｓｈ」）で翻訳された文字列となる。
【００８７】
さて、Ｓ１０３において、ユーザが、所定の設定条件の入力を完了し、スタートキー２０５を押下すると（図５：Ｓ１０３ＹＥＳ）、前記表示受付手段４０１は、当該スタートキー２０５の押下を受け付けて、今まで入力された設定条件を機能提供手段４０６に通知する。当該通知を受けた機能提供手段４０６は、当該設定条件に基づいてコピー機能を実行する（図５：Ｓ１１２）。これにより、ユーザが所望するコピー機能の提供がなされる。
【００８８】
ここで、前記表示受付手段４０１は、前記スタートキー２０５が押下された旨を前記文字列変更手段４０４に通知する。当該通知を受けた文字列変更手段４０４は、前記文字列変更メモリを参照し、仮に、当該文字列変更メモリに前記文字列「両面/分割」と前記言語名「日本語」とが一時記憶されている場合、当該文字列「両面/分割」と当該言語名「日本語」とを消去する（図５：Ｓ１１３）。
【００８９】
これにより、所定のコピー機能の提供がなされれば、前記他の言語で翻訳された文字列の表示が、自動的に、元の言語で翻訳された文字列の表示に戻るため、元の言語に切り替える操作が不要となるとともに、ユーザが当該操作を忘れて後続のユーザに迷惑を掛けることが無くなる。
【００９０】
ところで、Ｓ２０２において、ユーザが、前記他言語切替キーである文字列８０７（「両面/分割」）を押下することなく、当該文字列の上方近傍に表示された文字列８０６（「Ｄｕｐｌｅｘ」）を押下すると（図６：Ｓ２０２ＮＯ）、前記他言語受付手段４０５は、当該文字列８０６の押下を受け付けて、前記他言語切替キーの文字列８０７を消去し、その旨を表示受付手段４０１に通知する。当該通知を受けた表示受付手段４０１は、初期言語で翻訳された文字列の設定項目キーを表示し、ユーザから、スタートキーの押下（図５：Ｓ１０３）や、所定の設定項目キーの押下を受け付けることになる（図５：Ｓ１０４）。
【００９１】
又、前記文字列変更メモリに前記文字列「両面/分割」が既に記憶されている状態で、Ｓ２０４からＳ１０４に移行した場合において、ユーザが、文字列の変更された設定項目キー９０２（「両面/分割」キー）を押下（短押し）せずに、他の設定項目キー９０１（例えば、「Ｐａｐｅｒ  Ｓｅｌｅｃｔｉｏｎ」キー）を押下（短押し）した場合は、以下のようになる。
【００９２】
即ち、ユーザが、他の設定項目キー９０１を押下すると（図５：Ｓ１０４ＹＥＳ）、上述と同様に、前記指示検知手段４０３は、当該他の設定項目キー９０１の押下を受け付け、当該他の設定項目キー９０１の押下が継続されたか否か検知する（図５：Ｓ１０６）。
【００９３】
ここで、ユーザが、前記他の設定項目キー９０１の押下後、直ぐに当該設定項目キー９０１の押下を解除すると（図５：Ｓ１０６ＹＥＳ）、前記指示検知手段４０３は、当該他の設定項目キー９０１の押下を検知し、前記文字列変更手段４０４は、前記表示受付手段４０１を介して、当該他の設定項目キー９０２の押下を受け付け、当該他の設定項目キー９０２の文字列「Ｐａｐｅｒ  Ｓｅｌｅｃｔｉｏｎ」が、前記文字列変更メモリに記憶された文字列（「両面/分割」）と一致するか否か判定する（図５：Ｓ１０８）。
【００９４】
前記判定の結果、両者が不一致であるため（図５：Ｓ１０８ＮＯ）、前記文字列変更手段４０４は、その旨を表示受付手段４０１に通知し、当該通知を受けた表示受付手段４０１は、前記言語切替テーブル７００を参照して、当該言語切替テーブル７００から、前記「Ｐａｐｅｒ  Ｓｅｌｅｃｔｉｏｎ」キーの設定値入力画面を特定する画面情報７０１（例えば、「Ｐａｐｅｒ  Ｓｅｌｅｃｔｉｏｎ画面」）に対応し、且つ、前記初期言語の言語名７０２「Ｅｎｇｌｉｓｈ」に対応する文字列７０３を取得する。そして、前記表示受付手段４０１は、取得した文字列７０３と、前記設定条件とに対応する設定値入力画面をタッチパネル２０１上に表示する（図５：Ｓ１０９）。
【００９５】
この場合は、初期言語で翻訳された文字列の設定値入力画面が表示されることになり、ユーザが言語切替を希望していない他の設定項目キー９０２が押下された場合に対応する。そのため、当該他の設定項目キー９０２の設定値入力画面に表示された文字列は、他の言語に対応する文字列に変更されることなく、初期言語のままで表示され、必要以上に文字列の言語切替がなされることを防止することが可能となる。
【００９６】
尚、ユーザが、前記他の設定項目キー９０１の設定値入力画面を介して、所定の設定値の入力が完了すると（図５：Ｓ１１０ＹＥＳ→Ｓ１１１）、Ｓ１０２に戻り、前記表示受付手段４０１は、当該設定値が反映された初期画面を表示することになるが（図５：Ｓ１０２）、ここで、前記文字列変更メモリには未だに文字列「両面/分割」と言語名「日本語」とが一時記憶されている。そのため、前記文字列変更手段４０４は、前記表示受付手段４０１の表示する初期画面のうち、前記文字列「両面/分割」に対応する設定項目キーの文字列（「Ｄｕｐｌｅｘ」）及び当該設定項目キーに関連する文字列（「１−ｓｉｄｅｄ＞＞１−ｓｉｄｅｄ」）を、前記他の言語「日本語」で翻訳された文字列（「両面/分割」、「片面→片面」）にそれぞれ変更して表示する。
【００９７】
これにより、ユーザが、言語表示を切り換えた設定項目キー９０２の設定値を後から入力しようとする場合でも、当該設定項目キー９０２の文字列及び当該設定項目キー９０２に関連する文字列の言語切替が継続されるため、ユーザは、上述した前記設定項目キー９０２の長押しを再度する必要が無くなる。
【００９８】
又、前記文字列変更メモリに前記他の文字列「両面/分割」が既に記憶されている状態で、Ｓ２０４からＳ１０４に移行した場合において、ユーザが、文字列の変更された設定項目キー９０２（「両面/分割」キー）を長押しした場合は、以下のようになる。
【００９９】
即ち、ユーザが、前記設定項目キー９０２を押下すると（図５：Ｓ１０４ＹＥＳ）、上述と同様に、前記指示検知手段４０３は、当該設定項目キー９０２の押下を受け付け、当該設定項目キー９０２の押下が継続されたか否か検知する（図５：Ｓ１０６）。
【０１００】
ここで、ユーザが、前記設定項目キー９０２を長押しした結果（図５：Ｓ１０６ＮＯ）、当該設定項目キー９０２の押下の開始時点からの経過時間が所定時間を超過すると（図５：Ｓ１０７ＹＥＳ）、前記指示検知手段４０３は、前記ユーザの操作により、当該設定項目キー９０２の文字列「両面/分割」を他の言語で翻訳された文字列に変更する旨の指示が入力されたと検知する。そして、上述と同様に、他言語受付手段４０５が、前記指示における設定項目キーの文字列「両面/分割」の近傍に、当該文字列の言語と異なる他の言語で翻訳された文字列、つまり、初期言語（「Ｅｎｇｌｉｓｈ」）で翻訳された文字列「Ｄｕｐｌｅｘ」を他言語切替キーとして押下可能に表示する（図６：Ｓ２０１）。
【０１０１】
これにより、一度、他の言語名「日本語」で切り替えた設定項目キーの文字列を、初期言語「Ｅｎｇｌｉｓｈ」の文字列に、再切り替えすることが可能となる。尚、Ｓ２０１以降の処理については、上述と同様であるため、割愛する。
【０１０２】
このように、本発明に係る操作部１０２は、前記複数の設定項目キーのうち、所定の設定項目キーの文字列を当該文字列の言語と異なる他の言語で翻訳された文字列に変更させる旨の指示を検知する指示検知手段４０３と、前記指示が検知されると、当該指示における設定項目キーの文字列の近傍に、前記他の言語で翻訳された文字列を他言語切替キーとして押下可能に表示する他言語受付手段４０５とを備える。又、前記操作部１０２は、前記他言語切替キーが押下されると、当該他言語切替キーに対応する設定項目キーの文字列及び当該設定項目キーに関連する文字列を、前記他の言語で翻訳された文字列にそれぞれ変更して表示する文字列変更手段４０４とを備える。
【０１０３】
これにより、所定の設定項目キーの文字列の内容を理解することが出来ない場合であっても、所定の操作により、他の言語で翻訳された文字列が表示されるため、ユーザが理解出来る言語で翻訳された文字列が表示されれば、一見してその内容を理解することが可能となる。又、他言語切替キーが押下されると、先ほど内容を理解出来なかった設定項目キーの文字列のみならず、これに関連する文字列も変更表示され、ユーザは、変更表示された設定項目キーの文字列の内容や現時点で設定されている設定値などの周辺の設定条件を的確に理解することが可能となる。更に、前記設定項目キーに関連する文字列は、ユーザの指示した他の言語で翻訳された文字列となるため、ユーザは、言語の切り替えを省略して、当該設定項目キーの設定値の入力を簡単に入力することが可能となり、当該設定値の入力を円滑にし、且つ、言語切替のための操作数を減少させることが可能となる。
【０１０４】
尚、本発明の実施形態に係る操作部１０２では、前記指示検知手段４０３が、ユーザにより、所定の設定項目キーが所定時間だけ継続して押下されたことを検知することで、当該設定項目キーの文字列を当該文字列の言語と異なる他の言語で翻訳された文字列に変更させる旨の指示を、例えば、ユーザの操作により、検知するよう構成したが、他の構成でも構わない。例えば、前記指示検知手段４０３が、ユーザにより、所定の設定項目キーが連続して２回押下されたことを検知することで、前記指示を検知するよう構成してもよいし、ユーザにより、所定の設定項目キーが２点同時押下されたことを検知することで、前記指示を検知するよう構成しても構わない。
【０１０５】
又、本発明の実施形態に係る操作部１０２では、前記他言語受付手段４０４が、前記他言語切替キーをプルダウンリスト形式で押下可能に表示するよう構成したが、他の構成、例えば、前記他言語切替キーを表示する代わりに、当該他言語切替キーを押下可能に表示した他言語切替画面に移行する構成などを採用しても構わない。
【０１０６】
又、本発明の実施形態に係る操作部１０２では、前記文字列変更手段４０４が、前記初期画面から前記設定値入力画面に一ステップで切り替わる場合に、当該設定値入力画面に対して、前記設定項目キーに関連する文字列を、前記他の言語で翻訳された文字列に変更して表示するよう構成したが、他の構成でも構わない。例えば、前記初期画面から前記設定値入力画面までの間に所定数の操作画面が存在する場合であっても、前記文字列変更手段４０４が、前記所定数の操作画面に存在する、前記設定項目キーに関連する文字列を、前記他の言語で翻訳された文字列に変更して表示するよう構成しても構わない。
【０１０７】
又、本発明の実施形態に係る操作部１０２では、複合機１００のコピー機能の処理に関して採用したが、例えば、ファクシミリ送受信機能、プリント機能等に対しても採用できる。更に、本発明の実施形態では、操作部１０２を複合機１００に適用した場合について説明したが、タッチパネル２０１を有する操作部１０２（操作装置）を備えた各種画像形成装置、各種画像処理装置、各種画像加工装置、各種画像表示装置等に適用しても、同一の作用効果を奏する。
【０１０８】
又、本発明の実施形態では、操作部１０２が各手段を備えるよう構成したが、当該各手段を実現するプログラムを記憶媒体に記憶させ、当該記憶媒体を提供するよう構成しても構わない。当該構成では、前記プログラムを操作部１０２或いは複合機１００に読み出させ、その操作部１０２或いは複合機１００が前記各手段を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【０１０９】
以上のように、本発明に係る操作装置及び操作方法は、複合機はもちろん、複写機、プリンタ等に有用であり、初期言語で表示された文字列では理解することが出来なかった設定項目キーの設定条件を容易に入力することが可能な操作装置及び操作方法として有効である。
【符号の説明】
【０１１０】
１００  複合機
１０２  操作部
４０１  表示受付手段
４０２  言語切替記憶手段
４０３  指示検知手段
４０４  文字列変更手段
４０５  他言語受付手段
４０６  機能提供手段
【図１】
0005650070.tif 000002
【図２】
0005650070.tif 000003
【図３】
0005650070.tif 000004
【図４】
0005650070.tif 000005
【図５】
0005650070.tif 000006
【図６】
0005650070.tif 000007
【図７】
0005650070.tif 000008
【図８】
0005650070.tif 000009
【図９】
0005650070.tif 000010